(57)【要約】  【課題】  使用者自らが簡便にマッサージを行えるマッサージ具を提供する。  【解決手段】  手動のマッサージ具であって、湾曲面である作用面を有する本体と、前記作用面に設けられる複数の突起体と、を含み、前記作用面が凹むと前記突起体が傾倒し、前記作用面が元に戻ると前記突起体が起立して、対象部位に対してマッサージが行われるマッサージ具。【選択図】  図２０
2019076687.tif 000002
【特許請求の範囲】
【請求項１】
手動のマッサージ具であって、
湾曲面である作用面を有する本体と、
前記作用面に設けられる複数の突起体と、を含み、
前記作用面が凹むと前記突起体が傾倒し、前記作用面が元に戻ると前記突起体が起立して、対象部位に対してマッサージが行われる
ことを特徴とするマッサージ具。
【請求項２】
請求項１に記載のマッサージ具であって、
前記突起体は、前記作用面からの突出高さが、最も低い部分において、前記作用面の厚みの２倍〜１０倍である
ことを特徴とするマッサージ具。
【請求項３】
請求項１又は２に記載のマッサージ具であって、
前記突起体の先端の最大幅は、前記作用面の厚みの２倍〜１０倍である
ことを特徴とするマッサージ具。
【請求項４】
請求項１〜３のいずれか一項に記載のマッサージ具であって、
前記突起体の先端の最大幅は、前記突起体の根元の最大幅の０．４倍〜０．９倍である
ことを特徴とするマッサージ具。
【請求項５】
請求項１〜４のいずれか一項に記載のマッサージ具であって、
前記突起体は、中実に形成されている
ことを特徴とするマッサージ具。
【請求項６】
請求項１〜５のいずれか一項に記載のマッサージ具であって、
前記突起体は、対象部位に略垂直に立つように設けられ、
前記作用面が凹むと、前記突起体は、前記突起体同士が向かい合う方向に傾倒する
ことを特徴とするマッサージ具。
【請求項７】
請求項１〜６のいずれか一項に記載のマッサージ具であって、
前記突起体は、対象部位に斜めに立つように設けられ、
前記作用面が凹むと、前記突起体は、時計方向又は反時計方向の隣の前記突起体の方向に傾倒する
ことを特徴とするマッサージ具。
【請求項８】
請求項１〜７のいずれか一項に記載のマッサージ具であって、
棒状の、前記突起体である第１突起体と、
前記作用面に対象部位側に突出するように設けられる円環状の突出壁に、複数の切欠きを設けることで形成される、前記突起体である第２突起体を含む
ことを特徴とするマッサージ具。
【請求項９】
請求項１〜８のいずれか一項に記載のマッサージ具であって、
複数の前記作用面を含み、
前記作用面は、前記本体の底面を構成するベース面に設けられる
ことを特徴とするマッサージ具。
【請求項１０】
請求項１〜９のいずれか一項に記載のマッサージ具であって、
前記本体は中空に形成され、
前記マッサージ具は、前記本体の内圧を変化させるための吸引部を含む
ことを特徴とするマッサージ具。
【請求項１１】
請求項１〜１０のいずれか一項に記載のマッサージ具であって、
前記作用面には、傾倒方向又は起立方向を調整する傾倒方向調整部が設けられる
ことを特徴とするマッサージ具。
【請求項１２】
請求項１〜１１のいずれか一項に記載のマッサージ具であって、
前記本体は、略椀状である
ことを特徴とするマッサージ具。
【請求項１３】
請求項１〜１１のいずれか一項に記載のマッサージ具であって、
前記本体は、略卵形状である
ことを特徴とするマッサージ具。
【請求項１４】
請求項１〜１１のいずれか一項に記載のマッサージ具であって、
前記本体は、略円筒形状である
ことを特徴とするマッサージ具。
【発明の詳細な説明】
【技術分野】
【０００１】
本発明は、マッサージ具に関する。
【背景技術】
【０００２】
従来、マッサージ具として、手の指と掌で握れる程度の大きさに成形した円柱状の表面に凹凸を設けた掌握部と当該掌握部の両端部を円錐状、半球状、または凹凸状に形成したことを特徴とする押圧・マッサージ器具が提案されている（特許文献１を参照）。
【先行技術文献】
【特許文献】
【０００３】
【特許文献１】登録実用新案第３０２６８６４号公報
【発明の概要】
【発明が解決しようとする課題】
【０００４】
一方、近年、美容や健康に対する意識が高まり、家で使用者自らが手軽にマッサージを行えるマッサージ具への需要が増加している。
【０００５】
しかし、上記マッサージ具は、つぼや経路、手の指や掌等を押圧してマッサージを行うものであるため、つぼや経路の正確な位置に関する知識が少ない一般の使用者には使いにくい。
【０００６】
また、上記マッサージ具は、皮膚や皮下組織、筋肉等に対しても直接マッサージを行いたいという需要には応えられていない。
【０００７】
本発明は、上記課題の少なくとも一つを解決するためのものであり、使用者自らが簡便にマッサージを行えるマッサージ具を提供することを目的とする。
【課題を解決するための手段】
【０００８】
上記課題を解決するために、本発明の一態様に係るマッサージ具は、手動のマッサージ具であって、湾曲面である作用面を有する本体と、前記作用面に設けられる複数の突起体と、を含み、前記作用面が凹むと前記突起体が傾倒し、前記作用面が元に戻ると前記突起体が起立して、対象部位に対してマッサージが行われる。
【０００９】
また、前記突起体は、前記作用面からの突出高さが、最も低い部分において、前記作用面の厚みの２倍〜１０倍であってもよい。
【００１０】
また、前記突起体の先端の最大幅は、前記作用面の厚みの２倍〜１０倍であってもよい。
【００１１】
また、前記突起体の先端の最大幅は、前記突起体の根元の最大幅の０．４倍〜０．９倍であってもよい。
【００１２】
また、前記突起体は、中実に形成されていてもよい。
【００１３】
また、前記突起体は、対象部位に略垂直に立つように設けられ、前記作用面が凹むと、前記突起体は、前記突起体同士が向かい合う方向に傾倒するものであってもよい。
【００１４】
また、前記突起体は、対象部位に斜めに立つように設けられ、前記作用面が凹むと、前記突起体は、時計方向又は反時計方向の隣の前記突起体の方向に傾倒するものであってもよい。
【００１５】
また、棒状の、前記突起体である第１突起体と、前記作用面に対象部位側に突出するように設けられる円環状の突出壁に、複数の切欠きを設けることで形成される、前記突起体である第２突起体を含んでもよい。
【００１６】
また、複数の前記作用面を含み、前記作用面は、前記本体の底面を構成するベース面に設けられてもよい。
【００１７】
また、前記本体は中空に形成され、前記マッサージ具は、前記本体の内圧を変化させるための吸引部を含んでもよい。
【００１８】
また、前記作用面には、傾倒方向又は起立方向を調整する傾倒方向調整部が設けられてもよい。
【００１９】
また、前記本体は、略椀状であってもよい。
【００２０】
また、前記本体は、略卵形状であってもよい。
【００２１】
また、前記本体は、略円筒形状であってもよい。
【発明の効果】
【００２２】
本発明によれば、使用者自らが簡便にマッサージを行えるマッサージ具を提供することができる。
【図面の簡単な説明】
【００２３】
【図１】実施形態１に係るマッサージ具の（ａ）斜視図、（ｂ）一部の構成を省略した平面図である。
【図２】実施形態１に係るマッサージ具の（ａ）正面図、（ｂ）側面図である。
【図３】実施形態１に係るマッサージ具の（ａ）断面図、（ｂ）一部断面拡大図である。
【図４】実施形態１に係るマッサージ具の使用状態を説明するための図で、（ａ）第１状態（突起体起立状態）、（ｂ）第２状態（突起体傾倒状態）を示す図である。
【図５】実施形態１に係る指掛け部の例を説明するための図である。
【図６】実施形態１に係るマッサージ具の他の例を示す図である。
【図７】実施形態１の変形例１に係るマッサージ具の斜視図である。
【図８】実施形態１の変形例１に係るマッサージ具の側面図である。
【図９】実施形態１の変形例１に係るマッサージ具の使用状態を説明するための図、（ａ）第１状態（突起体起立状態）、（ｂ）第２状態（突起体傾倒状態）を示す図である。
【図１０】実施形態１の変形例２に係るマッサージ具の（ａ）正面図、（ｂ）側面図である。
【図１１】実施形態１の変形例２に係るマッサージ具の使用状態を説明するための図で、第２状態（突起体傾倒状態）を示す図である。
【図１２】実施形態１に係るマッサージ具の他の例を説明するための図である。
【図１３】実施形態１に係るマッサージ具の他の例を説明するための図である。
【図１４】実施形態１に係る胴部と突起体を説明するための図である。
【図１５】実施形態１に係るマッサージ具の他の例を説明するための図である。
【図１６】実施形態１に係るマッサージ具の他の例を説明するための図である。
【図１７】実施形態１に係るマッサージ具の他の例を説明するための図である。
【図１８】実施形態１に係るマッサージ具の他の例を説明するための図である。
【図１９】実施形態２に係るマッサージ具の使用状態の例を示す概略図で、（ａ）は突起体起立状態を示す図、（ｂ）は突起体傾倒状態を示す図である。
【図２０】実施形態２に係るマッサージ具の（ａ）分解図、（ｂ）正面図である。
【図２１】図２０の突起体の断面の拡大図である。
【図２２】実施形態２に係るマッサージ具の底面図で、（ａ）突起体起立状態、（ｂ）突起体傾倒状態を示す図である。
【図２３】実施形態２の変形例１に係るマッサージ具の（ａ）正面図、（ｂ）突起体起立状態（底面図）、（ｃ）突起体傾倒状態（底面図）を示す図である。
【図２４】実施形態２の変形例２に係るマッサージ具の（ａ）ベース面の断面、（ｂ）突出面、（ｃ）ベース面の他の例を示す図である。
【図２５】実施形態２の変形例３に係るマッサージ具の（ａ）正面図、（ｂ）底面図である。
【図２６】実施形態２の変形例４に係るマッサージ具の（ａ）正面図、（ｂ）底面図である。
【図２７】本願のマッサージ具の他の例を説明するための図である。
【図２８】本願のマッサージ具の他の例を説明するための図である。
【図２９】本願のマッサージ具の他の例を説明するための図である。
【図３０】本願のマッサージ具の他の例を説明するための図である。
【図３１】本願のマッサージ具の他の例を説明するための図である。
【発明を実施するための形態】
【００２４】
以下、図面を参照して本願に係るマッサージ具の実施形態の例を説明する。なお、以下の説明では、同様な構成については、同様な符号を付してその説明を省略することがある。
【００２５】
＜実施形態１＞
図１〜図４、図１４は実施形態１に係るマッサージ具１０を説明するための図である。図１（ａ）はマッサージ具１０の斜視図、図１（ｂ）は一部の構成を省略した平面図、図２（ａ）は正面図、図２（ｂ）は側面図、図３（ａ）は図２（ａ）のＡ−Ａ線断面図、図３（ｂ）は一部断面拡大図でマッサージ具１０の第１突起体を説明するための図、図４は使用状態を説明するための図で、図４（ａ）は第１状態（突起体起立状態）、図４（ｂ）は第２状態（突起体傾倒状態）を示す図、図１４はマッサージ具１０の胴部と突起体を説明するための図である。
【００２６】
マッサージ具１０は、手動のマッサージ具で、胴部（母材、本体）１１と、胴部１１に設けられる少なくとも２つの突起体（第１突起体）１３とを含む。ここでは、図示のように、一例として、マッサージ具１０が４つの第１突起体１３を含む例を説明するが、本願の趣旨に反しない限り、第１突起体１３の数は適宜設定できる。なお、本実施形態では、マッサージ具１０において、第１突起体１３が設けられる面を正面とし、他の面はこれを基準に定まるものとする。
【００２７】
本実施形態において、胴部１１は、湾曲面を有し、好ましくは、卵形状であり、より好ましくは、長軸（軸線）Ｙを中心に略回転対称的な卵形状である。胴部１１は、好ましくは、図１４に示す湾曲面の接線が垂直になる部分Ａまで、ほぼ均一な厚さである。より好ましくは、胴部１１は、作用面中央から広がり、最も広がった部分Ａを経た後、やや狭まった部分まで、ほぼ均一な厚さである。これにより、作用面が自由に変形しながら凹むことが可能となり、突起体が内側に倒れ、マッサージを行うことができる。
【００２８】
胴部１１は、凹む必要があるので、ある程度柔らかい素材である必要がある。一方、突起体は、皮下組織や筋肉を掴み揉んだり、叩いたりするため、ある程度硬い必要がある。好ましくは、突起体を中実として、母材である胴部を上記構成とすることで、母材と突起体を同じ素材で一体成形した場合でも、マッサージ効果を期待できるものを作製することができる。
【００２９】
また、好ましくは、複数の突起体は、先端がほぼ同一平面にあるようにすることで、先端が皮膚に略同時に当たり、根元の母材が同時に押圧されて同時に全体的に凹み、各突起体が内側に向いて倒れ、揉み効果を発揮する。
【００３０】
マッサージ具１０は、図示のように、胴部１１と連なる尾部１２を含んでもよい。また、両側面に指掛け部１４を含んでもよい。さらに、蓋１５を含んでもよい。
【００３１】
胴部１１は中心線Ｙ（長軸Ｙ）に対して対称であって、鈍端と尖端を有する略卵形状である。胴部１１は、シリコン樹脂、ゴム等の弾性材料で形成される。胴部１１は、表面が押されて凹んでも元の状態に戻れるようになっている。以下では、マッサージ具１０において、鈍端側を上方、尖端側を下方として説明する。
【００３２】
胴部１１は、図示のように中空に形成されてもよいし、図示しないが中実に形成されてもよい。胴部１１は、中空部分が所定の内圧を有してバルーン状に形成されてもよい。以下では、胴部１１が中空に形成されているものとして説明する。
【００３３】
一例として、胴部１１は、例えば、上下方向の幅（長軸）が５０ｍｍ〜１８０ｍｍ程度で、横方向の幅（短軸）が３０ｍｍ〜１５０ｍｍ程度である。より好ましくは、上下方向の幅（長軸）が８０ｍｍ〜１５０ｍｍ程度で、横方向の幅（短軸）が５０ｍｍ〜１２０ｍｍ程度で、さらに、好ましくは、上下方向の幅（長軸）が９０ｍｍ〜１４０ｍｍ程度で、横方向の幅（短軸）が５５ｍｍ〜９５ｍｍ程度である。
【００３４】
尾部１２は、胴部１１の尖端側に設けられ、胴部１１と連なっている。尾部１２は、一例として管状に形成される。図示しないが、尾部１２には空気圧調整用の栓を設けて、調整栓によって、胴部１１内の空気圧を調整し、胴部１１の変形の度合いを調整してもよい。空気圧が高ければ、胴部１１が固くなり、変形の度合いが低くなる。逆に、空気圧が低ければ、胴部１１が柔らかくなり、変形の度合いが高くなる。
【００３５】
マッサージ具１０は、胴部を略卵形状に形成し、その尖端側に尾部を設けることで、把持しやすくなっている。より具体的には、後述の揉み作業では、使用者は、掌を胴部１１の尖端側に当て（掛け）、指を胴部１１の鈍端側に向けて広げて当てるようにして、胴部１１を掴み把持することができる。また、マッサージ具１０が小型の場合は、掌を尾部１２にも当てることができるので、しっかりと掴み把持することができる。一方、マッサージ具１０がやや大きい場合は、手首を尾部１２に当てることができるので、安定した状態で、マッサージ具１０を掴み把持することができる。
【００３６】
また、後述の叩き作業では、使用者は、尾部１２を握り把持することができ、手首を使って叩き作業を容易に行うことができる。また、叩き効果が増すように、尾部１２を図示より長くしてもよい。
【００３７】
第１突起体１３は、胴部１１の作動面（作用面）１１１に設けられる。作動面１１１は、胴部１１の表面の一部をなす湾曲面である。一例として、作動面１１１は、ここでは、正面視略楕円形状の領域である。なお、以下では、作動面１１１の外縁に近づく方向を外側とし、その反対側を内側とする。
【００３８】
作動面１１１の占める範囲は、胴部１１の弾性反発力や第１突起体の形状、揉み作業の所要の強さ等を考慮して適宜設定できる。また、指掛け部等の他の構成部分も考慮される。例えば、作動面１１１は、胴部１１の周面の略１／８〜３／８程度を占める領域とすることができる。
【００３９】
作動面１１１は、図４に示すように、胴部１１を掴み把持する際、指が掛からない位置に配置されることが望ましい。使用者の年齢層や手の大きさ等にもよるが、例えば、略卵形状の胴部１１を、上下方向の幅（長軸）が５５ｍｍ〜１８０ｍｍ程度、横方向の幅（短軸）が３０ｍｍ〜１５０ｍｍ程度、より好ましくは、上下方向の幅（長軸）が８０ｍｍ〜１５０ｍｍ程度、横方向の幅（短軸）が５０ｍｍ〜１２０ｍｍ程度としてもよい。
【００４０】
把持する際は、作動面１１１の反対側である裏面側から掌及び指で胴部を掴めれば、作動面１１１が掌から対象部位に向かって突出する位置にあり、指が掛からないようになる。略卵形状の胴部１１の突出した作動面１１１が障害となって、指が対象部位に到達（当接）できないとも言える。
【００４１】
作動面１１１は、好ましくは、外周が胴部１１より小さい。すなわち、作動面１１１は、いずれの方向においても、胴部１１の最大幅より幅が小さい。このように形成することで、マッサージ具１０が小型の場合でも、指が作動面に掛からないようにしやすくなる。
【００４２】
第１突起体１３は、一例として、胴部１１の表面において、作動面１１１の外縁に沿って設けられる。本実施形態では、図示のように、４つの第１突起体が、そのうちの２つが上下方向に互いに対向するように設けられ、残りの２つが横方向に互いに対向するように設けられる。言い換えれば、菱形の４つの頂点に第１突起体１３が設けられる。第１突起体１３は、好ましくは、胴部１１と一体に同一素材で形成される。
【００４３】
第１突起体１３は、それぞれ略円柱体状に形成され、胴部１１の表面に直立する直立状態に設けられる。言い換えれば、第１突起体１３は、胴部１１の表面から長軸Ｙに略垂直に突出して形成される。また、好ましくは、各第１突起体１３は、長軸（中心線）Ｙからの最先端の突出高さが略等しく設けられる。これによって、各第１突起体１３は対象部位に略垂直に立ち、等しく接するようになる。
【００４４】
上記マッサージ具の形状は、例えば、シリコンゴムやエラストマー樹脂を用いてコンプレッション成形やインジェクション成形し、尾部の孔から型抜きして形成される。
【００４５】
第１突起体１３は、二重成型により形成することができる。硬めの材料で成形したのち、表面を軟らかめの材料で成形する。例えば、突起体の表面を、軟らかめ（例えば、硬度１０〜２５）とする。肌への感触を優しくすることができる。また、滑り止めの効果も期待できる。また、胴部の内部、尾部の内壁を軟らかめの材料（例えば、硬度１０〜２５）で形成してもよい。差し込んだ後述のハンドルや蓋の滑り抜けを防止できる。また、例えば、指を入れて、叩く場合に、滑りを防止することができる。
【００４６】
ここで、ゴム硬度の測定方法について説明する。
ゴムの硬さを測定する原理としては、測定するゴムの表面に鋭利ではない針（押針、インデンタ）を押し込んで、その変形量を測定し数値化する方法がとられている。針を押し込む力としてスプリングを用いる「デュロメーター硬さ」と、分銅などで一定の定荷重を用いる「国際ゴム硬さ（ＩＲＨＤ）」がある。このうち「デュロメーター硬さ」の方が、測定器が簡便であることから一般に広く普及している。そこで、本願発明においても、硬さは、「デュロメーター硬さ」を測定することとしている。
デュロメーター硬さの測定では、４種類あるデュロメーターのタイプを測定対象の硬さによって選択する。ＪＩＳ  Ｋ  ６２５３−３に規格されており、デュロメーターには、タイプＡ、タイプＤ，タイプＥ及びタイプＡＭがある。
デュロメータのタイプの選択は、次の様になってる。
−タイプＤデュロメーターで硬さが２０未満の値を示す場合は、タイプＡを用いる。
−タイプＡデュロメーターで硬さが２０未満の値を示す場合は、タイプＥを用いる。
−タイプＡデュロメーターで硬さが９０を超える値を示す場合は、タイプＤを用いる。
−薄い試験片（厚さ６．０ｍｍ未満）の場合は、タイプＡＭを用いる。
本願明細書および特許請求の範囲における硬度は、上記で選択されたタイプのデュロメーターで測定される値である。
つまり、「硬度５〜２５」の樹脂で構成される場合、硬度２０未満の樹脂に関しては、タイプＥのデュロメーターを、硬度２０以上の樹脂に関しては、タイプＡのデュロメーターを選択する。「硬度４０〜７０」の樹脂で構成される場合、タイプＡのデュロメーターを選択する。
【００４７】
第１突起体１３は、根元側が先端側よりやや太く形成され、先端面１３１と、周面１３２とを含む。第１突起体１３は、正面視において、根元部分が外側の円弧が内側の円弧よりも尖っている形状である。
【００４８】
先端面１３１は、正面視略円形である。好ましくは、先端面１３１は、内側にやや傾斜している。第１突起体１３が直立状態に設けられるため、正面視において、先端面１３１は全体として根元部分に重なって見える。
【００４９】
先端面１３１は、全体が凸曲面であってもよいし、少なくとも一部に平坦面を有するものであってもよい。例えば、図１５に示すように、先端面１３１は、中央部分に平坦面を有してもよい。この平坦面は、第１突起体１３同士の当該平坦面を連ねた場合、同一の平面又は凹状面が構成されるように設けられる。これによって、対象部位との接触面積が大きくなり、対象部位を揉む際に、第１突起体の間に引き込みやすくなる。
【００５０】
周面１３２は、図３（ｂ）に図示のように、外側の周面の高さＱが内側の周面の高さＰよりも大きく形成される。外側の周面の高さＱと内側の周面の高さＰの差は、第１突起体の先端同士を連ねて構成される面が、平面又は凹状面となる値である。これによって、胴部１０が卵形状で、作動面が凸状の湾曲形状の場合でも、対象部位との当接面が平面または凹状面となる。
【００５１】
第１突起体１３同士の間隔は、作動面の大きさを考慮し、第１突起体同士が倒れる際に対象部位を引き込める間隔とする。一例として、横方向の２つの第１突起体１３同士の間隔は、最大限まで傾倒した際に両者が衝突する範囲、例えば、両者の内側の周面の高さＰを基準に、１Ｐ〜２Ｐの範囲内としてもよい。また、上下方向の第１突起体１３は、最大限まで傾倒した際に、横方向の第１突起体と衝突しない範囲としてもよい。
【００５２】
また、一例として、第１突起体１３は、正面から見た場合、先端面１３１の中心を結んだ菱形の辺Ｎが２０ｍｍ〜４０ｍｍ、より好ましくは２５ｍｍ〜３５ｍｍで、内角αが３８度〜５８度、より好ましくは４３度〜５３度となる範囲に配置される。
【００５３】
第１突起体１３は、好ましくは、対象部位に当接し押された場合でも撓まない程度の硬さないし厚みで形成される。なお、ここでは、目視の範囲で撓まない程度をいう。第１突起体１３は、中実に形成されることが望ましい。
【００５４】
第１突起体１３を胴部１１と同一素材で中実に形成する場合、第１突起体１３の胴部１１の表面からの突出高さ（肉厚）Ｐは、好ましくは、突出高さＰ／作動面の肉厚の厚さ比が２倍〜１０倍、より好ましくは、３倍〜８倍である。図示のように、突出高さＰは、ここでは、第１突起体１３の最も低い部分における高さである。胴部１１ないし作動面１１１の厚みは、例えば、１．５ｍｍ〜４ｍｍである。一例として、作動面１１１の厚みが２．５ｍｍの場合、突出高さＰは、７．５ｍｍ〜２０ｍｍ程度である。
【００５５】
また、第１突起体１３の先端の最大幅Ｄ２は、好ましくは、作動面１１１の厚みの２倍〜１０倍で、より好ましくは、３．５倍〜８倍である。図示のように、ここでは、先端の最大幅Ｄ２は、先端面１３１の最も低い部分からの長軸方向の直線距離である。一例として、作動面１１１の厚みが２．５ｍｍの場合、最大幅Ｄ２は、８ｍｍ〜２０ｍｍ程度である。
【００５６】
また、第１突起体１３の先端の最大幅Ｄ２は、好ましくは、根元の最大幅Ｄ１の０．４倍〜０．９倍で、より好ましくは、０．５倍〜０．８倍である。図示のように、根元の最大幅Ｄ１は、根元の最も内側の部分からの長軸方向の直線距離である。
【００５７】
なお、第１突起体１３は、突出高さＰとＱの比（Ｐ／Ｑ）が、０．４〜０．８程度であってもよい。
【００５８】
なお、図１６に示すように、胴部１１の内面から突出する内凸部４１が形成されてもよい。または、図１７に示すように、胴部１１の内面から凹入する内凹部４２が形成されてもよい。突出高さＰ／作動面１１１の厚みの厚さ比は上記と同様とすることができる。
【００５９】
また、図１８に示すように、内凸部４１が第１突起体１３よりも最大幅（Ｄ３）が大きく形成されてもよい。
【００６０】
また、図１８に示すように、第１突起体１３は、先端が拡張（拡径）して拡張部分が形成され、拡張部分の幅Ｄ４が、先端の最も低い部分からの長軸方向の直線距離であるＤ２よりも大きく形成されてもよい。
【００６１】
上記のように形成することで、第１突起体１３の動きに変化（例えば、内凸部を設けることでスムーズな動き）を持たせることができる。
【００６２】
指掛け部１４は、胴部１１の表面から突出するように、両側面にそれぞれ設けられる。そのため、指掛け部１４は、作動面１１１の両側にそれぞれ位置する。指掛け部１４は、掴み把持する際に、親指や小指を掛けるための部分である。指掛け部１４には、さらに把持しやすいように、凹部１４１を設けてもよい。
【００６３】
後述の叩き作業では、左右の指掛け部１４を押して吸盤効果でくっ付けて、マッサージ具１０全体をつぶして固くし、これによって、叩き作業の効果を向上させることができる。より具体的には、図５に示すように、指掛け部１４の内側に対向する吸盤部を備えて、左右の指掛け部１４を押した状態にして（つぶれた状態で保持して）、マッサージ具１０で叩き作業を行うことができる。
【００６４】
蓋１５は、胴部１１の鈍端側に設けられる。より具体的には、胴部１１の鈍端側に貫通穴１１２が設けられ、この貫通穴１１２に蓋１５が嵌められる。胴部１１に貫通穴１１２、さらに蓋１５を設けることで、胴部１１内の空気圧を調整することができる。
【００６５】
また、図６に示すように、マッサージ具１０は、胴部１１の尖端側にも、蓋１７が設けられてもよい。蓋１７は、尾部１２に着脱可能に接続することができる。
【００６６】
以下では、マッサージ具１０の使用状態を説明する。マッサージ具１０は、初期状態である第１状態では、図４（ａ）に示すように、第１突起体１３が直立状態にある。
【００６７】
図４（ｂ）に示すように、マッサージ具１０を、マッサージ作業の対象部位Ｓに対して押し当てると、作動面１１１が凹んで、第１突起体１３が直立している第１状態から、内側に倒れる第２状態に移行する。ここでは、２対の第１突起体１３が１対ずつ互いに対向して設けられているため、第１突起体１３は向かい合って倒れる（傾倒する）。
【００６８】
第１突起体１３が第１状態から第２状態に移行するに伴って、対象部位Ｓが引き寄せられ、皮膚や皮下組織、筋肉等が揉まれ、マッサージが施される。ここでは、第１突起体１３の先端面１３１が内側にやや傾斜しているため、先端面１３１によって対象部位を引き寄せやすくなる。
【００６９】
また、第１突起体１３が上下、左右に対向して設けられているため、第１突起体１３は、前後方向（上下方向）、左右方向から対象部位を引き寄せて効果的にマッサージを行うことができる。言い換えれば、マッサージ具１０は、４本の指で揉む感覚を実現できる。
【００７０】
また、ここでは、菱形の４つの頂点に第１突起体１３が設けられ、上下方向の第１突起体１３が横方向の第１突起体と衝突しない範囲に設けられるため、程よい間隔で揉み作業を行うことができる。
【００７１】
なお、マッサージ具１０を用いるマッサージ作業は、対象部位Ｓに直接押し当てて行ってもよいし、洋服の上から押し当てて行ってもよい。
【００７２】
マッサージ具１０は、対象部位を叩いてマッサージを行う作業にも用いることができる。使用者は、尾部１２を握り把持し、第１突起体１３で対象部位を叩くことで、対象部位を刺激してマッサージを施すことができる。
【００７３】
なお、マッサージ具１０は、揉み作業としては、皮下組織や筋肉を揉むことでマッサージを行う作業、例えば、腕や足、背中のマッサージに適している。
【００７４】
＜実施形態１の変形例１＞
図７〜図９は実施形態１の変形例１に係るマッサージ具１０ａを示す図で、図７はマッサージ具１０ａの斜視図、図８は側面図、図９は使用状態を示す図である。マッサージ具１０ａは、さらに少なくとも２つの第２突起体１６を含む。なお、以下の説明では、マッサージ具１０ａが２つの第２突起体１６を有する例を説明するが、本願発明の趣旨に反しない限り、第２突起体１６の数は適宜設定できる。
【００７５】
第２突起体１６は、略円錐体状に形成される点、その周面に段差面が設けられる点が第１突起体１３と異なる。
【００７６】
第２突起体１６は、第１突起体１３が設けられる正面の反対側の面である裏面に設けられる。第２突起体１６は、作動面１１３に上下方向に、互いに対向するように設けられる。第２突起体１６は、略円錐体状に形成され、胴部１１の表面に直立する直立状態に設けられる。
【００７７】
第２突起体１６は、先端面１６１と、周面１６２とを含む。
【００７８】
第２突起体１６は、周面１６２の内側周面が段差状になっている。一例として、図示のように、周面１６２の内側周面は、略中央部分の段差面１６２３によって分断され、根元側に位置する第１内側周面１６２１と先端側に位置する第２内側周面１６２２とが段違い状になっている。段差面１６２３と第１内側周面１６２１又は第２内側周面１６２２との成す角度は、例えば１２０度〜１７０度程度であり、より好ましくは、１３０度〜１６０度程度である。
【００７９】
以下では、マッサージ具１０ａの使用状態を説明する。マッサージ具１０ａは、初期状態である第１状態では、図９（ａ）に示すように、第２突起体１６が直立状態にある。
【００８０】
図９（ｂ）に示すように、マッサージ具１０ａを、マッサージ作業の対象部位Ｓに対して押し当てると、作動面１１３が凹んで、第２突起体１６が直立している第１状態から、内側に倒れる第２状態に移行する。ここでは、第２突起体１６が互いに対向するように設けられているため、第２突起体１６は互いに向かい合うように倒れる。
【００８１】
第２突起体１６が第１状態から第２状態に移行するに伴って、対象部位Ｓが引き寄せられ、皮膚や皮下組織、筋肉等が揉まれ、マッサージが施される。言い換えれば、マッサージ具１０は、２本の指で揉む感覚を実現できる。
【００８２】
ここでは、第２突起体１６の周面１６２の内側周面が段差状に形成されているため、対象部位を絞り寄せるように揉むことができる。
【００８３】
より具体的には、第２突起体１６が第１状態から第２状態に移行するに伴って、先端面１６１によって引き寄せられた対象部位が、第１内側周面１６２１及び第２内側周面１６２２に当接し、向かい合っている２つの第１内側周面１６２１及び２つの第２内側周面１６２２によって絞られる。ここでは、第１内側周面１６２１及び第２内側周面１６２２が段違い状に設けられているため、これらは二段階で行われる。
【００８４】
マッサージ具１０ａは、第２突起体１６を含むことで、さらに対象部位を絞り寄せるように揉むことができる。
【００８５】
＜実施形態１の変形例２＞
図１０〜図１１は実施形態１の変形例２に係るマッサージ具１０ｂを示す図で、図１０（ａ）はマッサージ具１０ｂの正面図、図１０（ｂ）は側面図、図１１は使用状態を示す図である。マッサージ具１０ｂは、作動面１１１ｂ及び第１突起体１３ｂが第１実施形態と異なる。なお、以下の説明では、マッサージ具１０ｂが４つの第１突起体１３ｂを有する例を説明するが、本願発明の趣旨に反しない限り、第１突起体１３ｂの数は適宜設定できる。
【００８６】
第１突起体１３ｂは、作動面１１１ｂに設けられる。作動面１１１ｂは、胴部１１の表面の一部をなす湾曲面である。作動面１１１ｂは、ここでは、正面視略円形の領域である。第１突起体１３ｂは、作動面１１１ｂの外縁に沿って設けられる。
【００８７】
第１突起体１３ｂは、胴部１１の表面に斜めに突出するように設けられる。即ち、第１突起体１３ｂは胴部１１の表面に斜めに立設されて斜立状態にある。
【００８８】
一例として、第１突起体１３ｂは、図示のように、反時計方向に順に隣の第１突起体に向かって傾斜するように設けられる。より具体的には、各第１突起体１３ｂは、先端が、反時計方向の隣の第１突起体１３ｂの根元方向に向かって傾斜するように設けられる。なお、図示しないが、第１突起体１３ｂは、時計方向に順に隣の第１突起体に向かって傾斜するように設けられてもよい。
【００８９】
第１突起体１３ｂは、先端面１３１ｂと、周面１３２ｂとを含む。
【００９０】
正面視において、先端面１３１ｂは根元部分と一部が重なり、一部がずれて見える。先端面１３１ｂがずれる方向は、反時計方向の隣の第１突起体１３ｂの根元に向かう方向であり、第１突起体１３ｂの傾斜方向と一致する。
【００９１】
以下では、マッサージ具１０ｂの使用状態を説明する。マッサージ具１０ｂは、初期状態である第１状態では、図１０（ａ）に示すように、第１突起体１３が斜立状態にある。
【００９２】
マッサージ具１０ｂは、作動面１１１ｂが押されて凹むと、第１突起体１３ｂが斜立している第１状態から、その傾斜方向に倒れる第２状態に移行する。ここでは、第１突起体１３ｂが順に反時計方向の隣の第１突起体１３ｂに向かって傾斜しているため、第１突起体１３ｂは反時計方向に隣の第１突起体１３ｂに向かって倒れる。言い換えれば、第１突起体１３ｂは、反時計方向に回転するように倒れる。
【００９３】
第１突起体１３の第１状態から第２状態の移行に伴って、対象部位が引き寄せられ、皮膚や皮下組織、筋肉等が揉まれて、マッサージ作業が施される。その際に、第１突起体１３ｂが回転するように第１状態から第２状態に移行するため、対象部位を捻るように揉むことができる。
【００９４】
なお、本願に係るマッサージ具は、さらに、傾倒方向調整部（機構）を有してもよい。一例として、作動面に他の部分と厚みが異なる傾倒方向調整部を設けることができる。例えば、図１２に示すように、作動面１１１ｃにおいて、第１突起体１３ｃの根元の周囲部分の一部に、他の部分よりも厚みが厚い厚み増加部１１１１ｃを設けることで、図１２（ａ）に図示の矢印方向に力が加えられると、第１突起体１３ｃが図１２（ｂ）に示す矢印方向即ち、厚み増加部１１１１ｃの反対側に倒れるようにすることができる。または、図示しないが、第１突起体の根元の周囲部分の一部に、他の部分よりも厚みが薄い厚み減少部を設けることで、第１突起体が厚み減少部側に倒れるようにすることもできる。
【００９５】
本願に係るマッサージ具は、例えば、厚み増加部１１１１ｃを、作動面の、突起体の根元の周囲部分の一部であって時計方向又は反時計方向の隣の突起体と遠くなる部分に設けることで、突起体を時計方向又は反時計方向に回転するように傾倒させることができる。
【００９６】
また、本願に係るマッサージ具は、１つ以上の叩き部１８が設けられてもよい。図１３に示すように、叩き部１８は、例えば、胴部の側面に設けることができる。さらに、本願に係るマッサージ具は、ハンドル１９が設けられてもよい。ハンドル１９は、着脱可能に尾部１２に接続することができる。
【００９７】
なお、以上では、作動面が胴部の一部として一体に構成される例を説明したが、作動面は胴部と別体に構成された後にこれに結合されてもよい。また、作動面は、胴部と弾性率が異なる材料を用いてもよい。
【００９８】
また、第２突起体は、正面と裏面の間の面である側面に設けてもよい。この場合、マッサージ具は、指掛け部を有しない構成や、側面において第２突起体の支障とならない位置に設ける構成、第２突起体が設けられる側面以外の側面に１つのみ設ける構成等を採用してもよい。また、マッサージ具は、第１突起体を含まず、第２突起体のみを含む構成でもよい。
【００９９】
また、以上では、第１突起体及び第２突起体は、中実に形成される例を説明したが、本願の趣旨に反しない限り、中空部分を有するように形成されてもよい。また、第１突起体及び第２突起体には、胴部と同じ材料が用いられてもよいし、弾性率が異なる材料や弾性材料以外の材料が用いられてもよい。
【０１００】
＜実施形態２＞
図１９は、実施形態２に係るマッサージ具の使用状態の例を示す概略図である。マッサージ具１００００は、本体１１０００と本体１１０００に立設される複数の突起体（第１突起体）１３０００とを含む。本体１１０００は、作用面（作動面）であるベース面１１１００を含み、ベース面１１１００はマッサージ部位側に膨らむ湾曲面である。
【０１０１】
図１９（ａ）は、マッサージ具１００００の初期状態である突起体起立状態を示している。図１９（ｂ）に示すように、マッサージ具１００００を矢印方向（マッサージ部位方向）に押すと、ベース面１１１００が凹み、突起体１３０００が向かい合うように傾倒する。すなわち、ベース面１１１００が押されて変形して凹むと、突起体１３０００は突起体同士の先端間距離が縮まる方向に傾倒する。そして、押される力が解除され、ベース面１１１００が元の状態に戻ると、突起体１３０００は起立する。突起体１３０００が傾倒と起立を繰り返すことによって、マッサージ部位（マッサージ作業の対象部位）は、突起体１３０００の間に引き寄せられたり、放されたりして、マッサージされる。
【０１０２】
図２０〜図２２は実施形態２に係るマッサージ具の好適な実施形態であるマッサージ具２０を示す図で、図２０（ａ）は分解図、図２０（ｂ）は正面図、図２１は突起体の断面の拡大図で、図２１（ａ）は突起体起立状態の底面図、図２１（ｂ）は突起体傾倒状態の底面図である。マッサージ具２０は、手動のマッサージ具であって、本体（母材）２１と本体２１に設けられる複数の突起体２３とを含む。
【０１０３】
本実施形態において、本体２１は、湾曲面を有し、好ましくは、本体２１は、図２０に示す湾曲面の接線が垂直になる部分Ａまで、ほぼ均一な厚さである。さらに好ましくは、本体２１は、作用面中央から広がり、最も広がった部分Ａを経た後、やや狭まった部分Ｂまで、ほぼ均一な厚さである。これにより、作用面が自由に変形しながら凹むことが可能となり、突起体が内側に倒れ、マッサージを行うことができる。
【０１０４】
本体２１は、凹む必要があるので、ある程度柔らかい素材である必要がある。一方、突起体は、皮下組織や筋肉を掴み揉んだり、叩いたりするため、ある程度硬い必要がある。好ましくは、突起体を中実として、母材である本体２１を上記構成とすることで、母材と突起体を同じ素材で一体成形した場合でも、マッサージ効果を期待できるものを作製することができる。
【０１０５】
また、好ましくは、複数の突起は、その先端がほぼ同一平面にあるように形成することで、先端が皮膚に略同時に当たり、複数の突起の根元の母材が同時に押圧されて同時に全体的に凹み、各突起が内側に向いて倒れ、揉み効果を発揮する。
【０１０６】
本体２１は、ここでは、図示のように、略椀状に形成される例を説明する。本体２１は、シリコン樹脂、ゴム等の弾性材料で形成される。また、本体２１は、中空部分にスポンジ等本体より柔らかい材料が封入されてもよい。なお、本体２１は、本願の趣旨に反しない限り、他の形状に形成されてもよい。
【０１０７】
本体２１は、椀形状の開口に蓋体２２が嵌められる。蓋体２２には、挟持部２２１が設けられる。マッサージ具２０は、図２０（ｂ）に示すように、指で挟持部２２１が挟まれた状態で握持される。図示の挟持部２２１は、中空に形成され、中空部分に空気が入っている状態にある。挟持部２２１は、後述のように大きく形成して吸引部として機能させることもできる。
【０１０８】
蓋体２２は、本体２１と同じ材料で形成されてもよいし、異なる材料で形成されてもよい。同じ材料で形成する場合は、後述の本体２１のベース面２１１よりも厚みを厚くしたり、リブを設けたりして本体よりも変形しにくく形成することが望ましい。蓋体２２は、本体２１に接着又は溶着されもよい。
【０１０９】
ベース面２１１は、ここでは、本体２１の椀形状の底面を構成する面である。ベース面２１１は、一例として、マッサージ部位側に膨らむ湾曲面であり、所定の厚みを有する。ベース面２１１は、底面視（マッサージ部位側から目視）略円形状である。本実施形態では、ベース面２１１が作用面であり、突起体２３は、ベース面２１１に設けられる。
【０１１０】
突起体２３は、本実施形態では、８つ設けられる例を説明する。なお、本願の趣旨に反しない限り、突起体２３の数は適宜設定することができる。突起体２３は、本体２１と同じ材料で形成されてもよいし、異なる材料で形成されてもよい。また、突起体２３は、芯材を芯材の材料より軟らかい材料で覆うように二重成型で形成されてもよい。例えば、突起体の表面を、軟らかめ（例えば、硬度１０〜２５）とする。肌への感触を優しくすることができる。また、滑り止めの効果も期待できる。また、本体部の内部を軟らかめの材料（例えば、硬度１０〜２５）で形成してもよい。蓋体の滑り抜けを防止できる。
【０１１１】
ここで、ゴム硬度の測定方法について説明する。
ゴムの硬さを測定する原理としては、測定するゴムの表面に鋭利ではない針（押針、インデンタ）を押し込んで、その変形量を測定し数値化する方法がとられている。針を押し込む力としてスプリングを用いる「デュロメーター硬さ」と、分銅などで一定の定荷重を用いる「国際ゴム硬さ（ＩＲＨＤ）」がある。このうち「デュロメーター硬さ」の方が、測定器が簡便であることから一般に広く普及している。そこで、本願発明においても、硬さは、「デュロメーター硬さ」を測定することとしている。
デュロメーター硬さの測定では、４種類あるデュロメーターのタイプを測定対象の硬さによって選択する。ＪＩＳ  Ｋ  ６２５３−３に規格されており、デュロメーターには、タイプＡ、タイプＤ，タイプＥ及びタイプＡＭがある。
デュロメータのタイプの選択は、次の様になってる。
−タイプＤデュロメーターで硬さが２０未満の値を示す場合は、タイプＡを用いる。
−タイプＡデュロメーターで硬さが２０未満の値を示す場合は、タイプＥを用いる。
−タイプＡデュロメーターで硬さが９０を超える値を示す場合は、タイプＤを用いる。
−薄い試験片（厚さ６．０ｍｍ未満）の場合は、タイプＡＭを用いる。
本願明細書および特許請求の範囲における硬度は、上記で選択されたタイプのデュロメーターで測定される値である。
つまり、「硬度５〜２５」の樹脂で構成される場合、硬度２０未満の樹脂に関しては、タイプＥのデュロメーターを、硬度２０以上の樹脂に関しては、タイプＡのデュロメーターを選択する。「硬度４０〜７０」の樹脂で構成される場合、タイプＡのデュロメーターを選択する。
【０１１２】
突起体２３は、略円柱状の棒状に形成され、マッサージ部位に略垂直に立つように形成される。また、マッサージ部位に等しく接するように、各突起体２３は突出高さが略等しく設けられる。８つの突起体２３は、ベース面２１１と同心円をなすように環状に設けられる。突起体２３は、使用状態ではマッサージ領域の周囲に配置される。
【０１１３】
図２１に示すように、突起体２３は、マッサージ部位に略垂直に立つように形成されているため、外側の突出高さ（塊の肉厚）Ｑが、内側の突出高さ（塊の肉厚）Ｐよりも大きく形成される。なお、ここでは、作用面の外縁に近い側を外側とし、その反対側を内側とする。言い換えれば、突起体２３は、作用面の外縁に最も近い部分の突出高さＱが最も大きく、作用面の外縁に最も遠い部分（最も内側の部分）の突出高さＰが最も小さい。
【０１１４】
突起体２３は、好ましくは、対象部位に当接し押された場合でも撓まない程度の硬さないし厚みで形成される。なお、ここでは、目視の範囲で撓まない程度をいう。突起体２３は、中実に形成されることが望ましい。
【０１１５】
突起体２３をベース面２１１と同一素材で中実に形成する場合、突起体２３のベース面２１１からの突出高さＰは、好ましくは、突出高さＰ／ベース面の厚みの厚さ比は２倍〜１０倍、より好ましくは、３倍〜８倍である。ベース面２１１の厚みは、好ましくは、１．５ｍｍ〜４ｍｍである。一例として、ベース面２１１の厚みが２．５ｍｍの場合、突出高さＰは、７．５ｍｍ〜２０ｍｍ程度である。
【０１１６】
また、突起体２３の先端２３２の最大幅Ｄ２は、好ましくは、ベース面２１１の厚みの２倍〜１０倍で、より好ましくは、３．５倍〜８倍である。図示のように、先端の最大幅Ｄ２は、先端２３２の最も低い部分からの水平方向の直線距離である。先端の断面が円形の場合は、その直径である。一例として、ベース面２１１の厚みが２．５ｍｍの場合、最大幅Ｄ２は、８ｍｍ〜２０ｍｍ程度である。
【０１１７】
また、突起体２３の先端２３２の最大幅Ｄ２は、好ましくは、根元２３１の最大幅Ｄ１の０．４倍〜０．９倍で、より好ましくは、０．５倍〜０．８倍である。図示のように、根元２３１の最大幅Ｄ１は、根元の最も内側の部分からの水平方向の直線距離である。
【０１１８】
なお、突起体２３は、突出高さＰとＱの比（Ｐ／Ｑ）が、０．４〜０．８程度であってもよい。
【０１１９】
先端２３２は、全体が凸曲面であってもよいし、少なくとも一部に平坦面を有してもよい。例えば、先端２３２は、中央部分に平坦面を有してもよい。この平坦面は、突起体２３同士の当該平坦面を連ねた場合、同一の平面が構成されるように設けられる。また、この平坦面は、内側に傾斜するように設けられて、突起体２３同士の当該平坦面を連ねた場合、同一の凹状面が構成されるように設けられてもよい。これによって、対象部位との接触面積が大きくなり、対象部位を揉む際に、突起体の間に引き寄せやすくなる。
【０１２０】
図２２（ａ）に示すように、突起体２３は、底面視において、根元２３１は尖端側が外側に向いている卵形に、先端２３２は略円形に形成される。突起体２３は、略垂直に立つように形成され、根元２３１が先端２３２よりやや太く形成されるため、底面視において、先端２３２が根元２３１に重なって見える。
【０１２１】
図２２（ｂ）に示すように、マッサージ具２０は、ベース面２１１が押されて凹むと、突起体２３同士の先端間距離が縮まるように、突起体２３が向かい合うように傾倒する。マッサージ具２０は、このように、突起体２３同士の先端間距離が縮まるように傾倒することで、マッサージ部位を突起体２３の間に引き寄せることができる。そして、押される力が解除されると、ベース面２１１が元の状態に戻り、突起体２３が起立する。突起体２３が傾倒と起立を繰り返すことでマッサージ部位が、突起体２３の間に引き寄せられたり、放されたりして、揉まれてマッサージされる。
【０１２２】
マッサージ具２０は、突起体２３が環状に配置されるため、マッサージ部位におけるマッサージ領域をその環の中に引き寄せたり、放したりして、マッサージ領域の周りから揉んでマッサージすることができる。
【０１２３】
マッサージ具２０は、図示のように、ベース面２１１の略中央に空気孔２１２を設けることで、突起体２３の傾倒速度を抑えるようにしてもよい。即ち、本体が上部から押され、ベース面２１１が押されて凹む際に本体内部の空気圧が変化するが、空気孔２１２を設けることで、本体内部の空気圧が調整される。
【０１２４】
なお、突起体２３の先端２３２は、マッサージ部位との接触面がやや内側に傾斜するように設けられてもよい。これによって、マッサージ部位との接触面が大きくなり、マッサージ部位を引き寄せやすくなる。
【０１２５】
マッサージ具２０を用いるマッサージ作業は、マッサージ部位に直接押し当てて行ってもよいし、洋服の上から押し当てて行ってもよい。
【０１２６】
マッサージ具２０は、本体内部の空気圧を下げることで、図２２（ｂ）に示すようにベース面２１１が凹み、突起体２３が傾倒している初期状態とすることができる。この状態で、例えば本体を上部や横から押す等して本体内部の空気圧を上げれば、突起体２３が起立し、マッサージ部位が引き伸ばされる。そして、押す力が解除され、空気圧が元に戻ると、ベース面２１１が凹み、突起体２３が傾倒し、マッサージ部位が放される。このように、突起体２３が起立と傾倒を繰り返すことで、マッサージ部位が引き伸ばされたり、放されたりしてマッサージされる。
【０１２７】
マッサージ具２０は、中空の本体の内圧を変化させるための吸引部を含んでもよい。例えば、蓋体２２の挟持部２２１を大きくして中空の吸引部として形成し、この吸引部を摘む、握る、押しつけるなどすることで、本体内部の空気圧を上下変動させることができる。
【０１２８】
マッサージ具２０は、ベース面が本体の内側に凹んでいる湾曲面に形成されてもよい。すなわち、マッサージ具２０は、ベース面がマッサージ部位の反対側に膨らむ湾曲面に形成されてもよい。この場合、突起体は傾倒しており、本体の内圧を上げることでベース面が膨らみ、突起体が起立する。初期状態では、突起体は傾倒しており、例えば、突起体同士の先端間距離が小さい状態にある。この状態から、ベース面がマッサージ部位側に膨らむと、突起体は先端間距離が広がる方向に向かって起立する。
【０１２９】
本体の内圧を上げるには、吸引部を設けて吸引部を押し込む、蓋体の容積を減らすようにこれを押し潰す等の手段が考えられる。この場合、マッサージ具２０は、蓋体と本体との気密性が高くなるようにする形成することが望ましい。また、空気孔を設けないほうが望ましい。
【０１３０】
＜実施形態２の変形例１＞
図２３は実施形態２の変形例１に係るマッサージ具２０ａを示す図で、図２３（ａ）は正面図、図２３（ｂ）は突起体起立状態の底面図、図２３（ｃ）は突起体傾倒状態の底面図である。マッサージ具２０ａは、突起体２３ａが実施形態２と異なる。なお、以下の説明では、マッサージ具２０ａが４つの突起体２３ａを有する例を説明するが、本願発明の趣旨に反しない限り、突起体２３ａの数は適宜設定できる。
【０１３１】
突起体２３ａは、マッサージ部位に稍斜めに立つように設けられる。また、マッサージ部位に等しく接するように、各突起体２３ａは突出高さが略等しく設けられる。４つの突起体２３ａは、ベース面２１１と同心円をなすように環状に配置される。
【０１３２】
一例として、図２３（ａ）及び図２３（ｂ）に示すように、突起体２３ａは、反時計方向に順に隣の突起体２３ａに向かって傾斜するように設けられる。より具体的には、各突起体２３ａは、先端が、反時計方向の隣の突起体２３ａの根元方向に向かって傾斜するように設けられる。なお、突起体２３ａが順に時計方向の隣の突起体に向かって傾斜するように設けられてもよいことは言うまでもない。
【０１３３】
図２３（ｂ）に示すように、突起体２３ａは、斜に立つ起立状態に形成されるため、底面視において、先端２３２ａが根元２３１ａからずれているように見える。傾斜角度にもよるが、ここでは、先端２３２ａが根元２３１ａと一部が重なり、一部がずれて見える。先端２３２ａが根元２３１ａからずれる方向は、反時計方向の隣の突起体２３ａの根元に向かう方向であり、突起体２３ａの傾斜方向と一致する。
【０１３４】
図２３（ｃ）に示すように、マッサージ具２０ａは、ベース面２１１が押されて凹むと、突起体２３ａが反時計方向の隣の突起体２３ａに向かって傾倒する。すなわち、初期状態で突起体２３ａが反時計方向の隣の突起体２３ａに向かって傾斜しているため、突起体２３ａは反時計方向の隣の突起体２３ａに向かって傾倒する。言い換えれば、突起体２３ａは、反時計方向に回転するように傾倒する（倒れる）。
【０１３５】
マッサージ具２０ａは、このように、突起体２３ａが、斜めに立つ起立状態から、隣の突起体２３ａに向かって倒れる傾倒状態にとなり、マッサージ部位を引き寄せ、さらに捻ることができる。そして、押される力が解除されると、ベース面２１１が起立し、元の状態に戻る。これによって、マッサージ部位が、突起体２３ａの間に引き寄せられて捻られたり、放されたりして、揉まれてマッサージされる。
【０１３６】
なお、マッサージ具２０ａは、ベース面が本体の内側に凹んでいる湾曲面であってもよい。すなわち、マッサージ具２０は、ベース面がマッサージ部位の反対側に膨らむ湾曲面であってもよい。この場合、突起体は傾倒しており、本体の内圧を上げることでベース面が膨らみ、突起体が起立する。例えば、初期状態では、突起体は傾倒しており、隣の突起体の根元方向に傾倒している状態にある。この状態から、ベース面がマッサージ部位側に膨らむと、突起体は隣の突起体の根元方向から離れる方向に、即ち、突起体は自身の根元方向に向かって起立する。
【０１３７】
＜実施形態２の変形例２＞
図２４は実施形態２の変形例２に係るマッサージ具２０ｂを示す図で、図２４（ａ）はベース面の断面、図２４（ｂ）は突出面の底面を示す図、図２４（ｃ）はベース面の他の例を示す図である。マッサージ具２０ｂは、ベース面２１１ｂ、突出面２１３ｂ及び突起体２４ｂ、２５ｂが実施形態２と異なる。
【０１３８】
ベース面２１１ｂは、ここでは、本体２１の椀形状の底面を構成する面である。ベース面２１１ｂは、実施形態１のベース面２１１よりも厚みが厚く形成される。ベース面２１１ｂは、図２４（ａ）のように、マッサージ部位側に膨らむ湾曲面であってもよいし、図２４（ｃ）のように、平面であってもよい。平面である場合、ベース面２１１ｂにはリブなどが設けられ、補強されてもよい。
【０１３９】
ベース面２１１ｂには、複数の突出面２１３ｂが設けられる。突出面２１３ｂは、ベース面２１１ｂからマッサージ部位側に膨らむ湾曲面であり、ベース面２１１ｂよりも厚みが薄く形成される。突出面２１３ｂは、ベース面２１１ｂに点在するように設けられる。言い換えれば、複数の突出面２１３ｂは、ベース面２１１ｂに、互いに距離を置いて（ベース面２１１によって所定距離引き離されて）配置される。
【０１４０】
突出面２１３ｂは、ベース面２１１ｂと接続しており、厚みがベース面２１１ｂの０．５倍〜０．９倍程度である。なお、突出面２１３ｂは、ベース面２１１ｂと硬さが異なる素材で形成されてもよく、この場合は両者の厚みが同様なものであってもよい。
【０１４１】
本実施例では、突出面２１３ｂが作用面であり、突起体２４ｂ及び突起体２５ｂは、突出面２１３ｂに設けられる。突出面２１３ｂは、ベース面２１１ｂと同じ材料で形成される。突出面２１３ｂには、空気孔が例えばその中央に設けられてもよい。
【０１４２】
突起体２４ｂ及び突起体２５ｂは、突出面２１３ｂに立設される。図示のように、突起体２４ｂは、突出面２１３ｂに環状に配置され、突起体２５ｂは、突出面２１３ｂの中央に配置される。突起体２５ｂは、突起体２４ｂより短く形成される。なお、ここでは、突起体２４ｂが４つ設けられ、突起体２５ｂが１つ設けられる例を説明するが、本願の趣旨に反しない限り、突起体の数は適宜設定できる。また、突起体２４ｂ、２５ｂは、突出面２１３ｂと同じ材料で形成されてもよいし、異なる材料で形成されてもよい。
【０１４３】
マッサージ具２０ｂは、突出面２１３ｂが押されて凹むと、突起体２４ｂが向かい合うように傾倒する。マッサージ具２０ｂは、このように、突起体２４ｂが傾倒することで、マッサージ部位を突起体２４ｂ及び突起体２５ｂの間に引き寄せることができる。そして、押される力が解除されると、突出面２１３ｂが元の状態に戻り、突起体２４ｂが起立する。これによってマッサージ部位が、突起体２４ｂの間に引き寄せられたり、放されたりして、揉まれてマッサージされる。
【０１４４】
マッサージ具２０ｂは、複数の作用面を設けることで、マッサージ部位を複数の領域に分けて細かくマッサージすることができる。
【０１４５】
なお、マッサージ具２０ｂは、ベース面２１１ｂもマッサージ部位側に膨らむ湾曲面に形成され、作用面として構成されてもよい。ベース面２１１ｂに突起体を設けて、突起体を起立させたり、傾倒させたりするとで、局部とその周囲部分とを同時にマッサージすることができる。また、ベース面２１１ｂにおける突起体を大きく形成することで、局部とその周囲部分のマッサージの力に変化をもたらせることができる。
【０１４６】
＜実施形態２の変形例３＞
図２５は実施形態２の変形例３に係るマッサージ具２０ｃを示す図で、図２５（ａ）は正面図、図２５（ｂ）は底面図である。マッサージ具２０ｃは、突出壁２１４ｃ及び突起体２６ｃが実施形態２と異なる。
【０１４７】
突出壁２１４ｃは、ベース面２１１に、マッサージ部位側に突出するように設けられる。突出壁２１４ｃは、一例として、円環状の周壁である。突出壁２１４ｃは、図示のように、根元から先端にかけて徐々に厚みが薄くなっている。突出壁２１４ｃは、先端では外壁面と内壁面が融合して底面視線状になっていてもよい。突出壁２１４ｃは、本体２１と同じ材料で形成されてもよいし、異なる材料で形成されてもよい。
【０１４８】
突出壁２１４ｃには、複数の切欠き２１５ｃが周方向に沿って所定の距離を置いて設けられる。切欠き２１５ｃは、突出壁２１４ｃの先端に向かって開口が広くなるように形成される。突起体２６ｃは、隣同士の切欠き２１５ｃの間の部分によって構成される。
【０１４９】
突起体２１４ｃは、その径方向の厚み（幅）Ｔが環状壁の厚みより小さく、例えば、０．５倍〜０．９倍である。また、図示のように、外側の肉厚が、内側の肉厚よりも厚く形成される。
【０１５０】
言い換えれば、ここでは、突起体２６ｃは、突出壁２１４ｃに複数の切欠き２１５ｃを設けることで、作用面であるベース面２１１に立設して形成される。突起体２６ｃの数は、切欠き２１５ｃの数を調整することで設定できる。
【０１５１】
マッサージ具２０ｃは、ベース面２１１が押されて凹むと、突起体２６ｃが向かい合うように傾倒する。マッサージ具２０ｃは、このように、突起体２６ｃが突起体２６ｃ同士が向かい合うように傾倒することで、マッサージ部位を突起体２６ｃの間に引き寄せることができる。そして、押される力が解除されると、ベース面２１１が元の状態に戻り、突起体２６ｃが起立する。これによってマッサージ部位が、突起体２６ｃの間に引き寄せられたり、放されたりして、揉まれてマッサージされる。
【０１５２】
マッサージ具２０ｃは、突出壁２１４ｃを設けることで簡便に複数の突起体を設けることができる。
【０１５３】
＜実施形態２の変形例４＞
図２６は実施形態２の変形例４に係るマッサージ具２０ｄを示す図で、図２６（ａ）は正面図、図２６（ｂ）は底面図である。マッサージ具２０ｄは、突出壁２１４ｃ、突起体２６ｃ及び突起体２７ｄが実施形態２と異なる。突出壁２１４ｃ及び突起体２６ｃは、実施形態２の変形例３と同様であり、ここでは説明を省略する。
【０１５４】
突起体２７ｄは、作用面であるベース面２１１に立設される。ここでは、４つの突起体２７ｄが設けられる例を図示しているが、突起体２７ｄの数は適宜設定できる。突起体２７ｄはベース面２１１と同じ材料で形成されてもよいし、異なる材料で形成されてもよい。突起体２７ｄは、好ましくは、マッサージ部位に等しく接するように、突出高さが突起体２６ｃと略等しく設けられてもよい。また、４つの突起体２７ｄは、好ましくは、突出壁２１４ｃと同心円をなすように配置されてもよい。
【０１５５】
マッサージ具２０ｄは、ベース面２１１が押されて凹むと、突起体２６ｃが向かい合うように傾倒し、突起体２７ｄが稍斜めに矢印方向に傾倒する。
【０１５６】
マッサージ具２０ｄは、突起体を二重に設けることで、マッサージ部位を異なる突起体で同時に異なる感触でマッサージすることができる。
【０１５７】
ここでは、外側の突起体２６ｃを稍斜めに設けて反時計周りに傾倒するようにし、内側の突起体２７ｄを時計回りにやや斜めに傾倒するようにすれば、揉む、絞るようにマッサージすることができる。
【０１５８】
なお、本実施形態に係るマッサージ具は、実施形態１のマッサージ具と同様に、さらに、傾倒方向調整部（機構）を有してもよい。一例として、作用面に他の部分と厚みが異なる傾倒方向調整部を設けることができる。例えば、図２７に示すように、作用面２１１ｅにおいて、突起体２３の根元の周囲部分の一部に、他の部分よりも厚みが厚い厚み増加部２１１１ｅを設けることで、図２７（ａ）に図示の矢印方向に力が加えられると、突起体２３を図２７（ｂ）に示す矢印方向即ち、厚み増加部２１１１ｅの反対側に傾倒させることができる。または、図示しないが、突起体２３の根元の周囲部分の一部に、他の部分よりも厚みが薄い厚み減少部を設けることで、突起体を厚み減少部側に傾倒させることもできる。
【０１５９】
また、図２８に示す様にベース部２１１ｆに接続する部分の断面突起部形状、ここでは三角形状によって突起体２３ｆの傾斜方向の傾斜角を変えることが出来る。例えば、楕円形や長方形とし、周囲線上から中心線を傾けても良い。
【０１６０】
また、本願に係るマッサージ具は、図２９に示すように、本体が中空のボール状に形成されてもよい。マッサージ具２０ｇは、本体２１ｇが中空のボール状に形成され、ハンドル３１ｇを含む。本体２１ｇには、空気を入れるための空気入部２１６ｇが設けられる。
【０１６１】
また、本願に係るマッサージ具は、図３０に示すように、本体が枕状に形成されてもよい。マッサージ具２０ｈは、本体２１ｈは、マッサージ部位側に膨らむ湾曲面であるベース面２１１ｈを有し、ベース面２１１ｈには、ボタン状の突起体２８ｈと長手方向に延びるリブ状の突起体２９ｈが設けられる。ベース面２１１ｈの変形により、突起体２８ｈ、突起体２９ｈが傾倒し、マッサージ部位に対してマッサージが行われる。
【０１６２】
また、本願に係るマッサージ具は、図３１に示すように、電動式であってもよい。マッサージ具２０ｉは、ハンドル３１ｉに電源３２ｉが収納され、スイッチ３３ｉが設けられる。また、本体２１ｉにはバイブレータ等の稼動部３４ｉが接続される。
【０１６３】
また、本願に係るマッサージ具は、本体が略円筒形状であってもよい。
【０１６４】
なお、以上では、ベース面が本体の一部として本体と一体に構成される例を説明したが、本体と別体に構成された後にこれに結合されてもよい。
【０１６５】
また、図示しないが、前記突起体には、段差部が設けられて、マッサージ部位を絞るようにマッサージしてもよい。
【０１６６】
また、上記の説明では突起体が中実に形成されていることを前提に説明したが、中空部分を有するように形成されてもよい。一例として、先端付近が中実に形成され、他の部分が中空に形成されてもよい。例えば、突起体の先端から約高さの２分の１の部分を中実に形成できる。また、逆に、先端付近が中空に形成され、他の部分が中実に形成されてもよい。
【０１６７】
また、突起体の表面に、平行線状の模様や縞模様、指紋のような模様、複数の小さな突起状ものが設けられてもよい。これにより、突起体の表面が、さらに滑りにくくなり、皮膚をさらに捕らえやすくなる。
【０１６８】
本発明の一態様に係るマッサージ具は、一例として、手動のマッサージ具であって、作用面を有する本体と、前記作用面に設けられる複数の突起体と、を含み、前記作用面の変形により前記突起体が傾倒又は起立し、マッサージ部位に対してマッサージが行われる。また、前記作用面は、マッサージ部位側に膨らんでいる湾曲面であり、前記作用面が凹むと前記突起体が傾倒し、前記作用面が元に戻ると前記突起体が起立してもよい。また、前記作用面は、前記本体の底面を構成するベース面であり、前記突起体は、前記ベース面に設けられてもよい。また、複数の前記作用面を含み、前記作用面は、前記本体の底面を構成するベース面に設けられる突出面であってもよい。また、棒状の前記突起体である第１突起体を含んでもよい。また、前記作用面にマッサージ部位側に突出するように設けられる円環状の突出壁に、複数の切欠きを設けることで形成される、前記突起体である第２突起体を含んでもよい。また、前記突起体は、マッサージ部位に略垂直に立つように設けられてもよい。また、前記突起体は、マッサージ部位に斜めに立つように設けられてもよい。また、複数の前記突起体は、隣の前記突起体の根元方向に向かって傾倒してもよい。また、前記本体は中空に形成され、前記マッサージ具は、前記本体の内圧を変化させるための吸引部を含んでもよい。また、前記作用面は、前記本体の内側に凹んでいる湾曲面であり、前記作用面が膨らむと前記突起体が起立し、前記作用面が元に戻ると前記突起体が傾倒してもよい。また、前記突起体は、前記突起体同士の先端間距離が広がる方向に向かって起立してもよい。また、前記突起体は、隣の前記突起体の根元方向に傾倒しており、前記作用面が膨らむと、前記突起体は自身の根元方向に向かって起立してもよい。また、前記作用面には、傾倒方向又は起立方向を調整する傾倒方向調整部が設けられてもよい。また、前記作用面に設けられる第３突起体を含み、前記第３突起体は、傾倒及び起立をしなくてもよい。また、前記本体は、略椀状に形成されてもよい。また、前記本体は、蓋体が設けられ、前記本体は中空に形成され、前記マッサージ具は、前記本体の内圧を変化させるための吸引部を含み、前記吸引部は、前記蓋体に設けられてもよい。
【０１６９】
また、本発明の一態様に係るマッサージ具は、一例として、手動のマッサージ具であって、弾性の略卵形状の胴部と、前記胴部の作動面に設けられる少なくとも２つの突起体と、を含み、前記作動面が凹むと、前記突起体が第１状態から所定方向に倒れる第２状態に移行し、対象部位がマッサージされる。また、前記突起体は、前記作動面の外縁に沿って設けられてもよい。また、前記突起体は、前記作動面に直立する直立状態に設けられ、前記第１状態は、前記直立状態であってもよい。また、前記突起体は、向かい合うように対向して設けられ、前記第２状態では、前記突起体は向かい合う方向に倒れてもよい。また、前記突起体は、前記作動面に斜立する斜立状態に設けられ、前記第１状態は、前記斜立状態であってもよい。また、前記突起体は、その先端が時計方向又は反時計方向の隣の前記突起体に向かって傾斜する斜立状態に設けられ、前記第２状態では、前記突起体は時計方向又は反時計方向の隣の前記突起体の方向に倒れてもよい。また、前記突起体は、前記作動面に直立する直立状態に設けられ、前記作動面には、前記突起体の倒れる方向を調整する傾倒方向調整部が設けられていてもよい。また、前記突起体の周面には、段差面が設けられてもよい。また、前記胴部には、指掛け部が設けられてもよい。また、前記胴部には、２つの前記指掛け部が設けられ、２つの前記指掛け部の内側には対向する吸盤部がそれぞれ設けられ、前記マッサージ具は、つぶれた状態で保持できてもよい。また、前記胴部の尖端側には、前記マッサージ具を把持するための尾部が設けられてもよい。また、前記胴部の尖端側には、前記マッサージ具を把持するための尾部が設けられ、前記胴部は、中空であってもよい。また、前記胴部の鈍端側には、蓋が設けられてもよい。また、前記尾部には、蓋又はハンドルが着脱可能に設けられてもよい。また、前記胴部には、前記突起体である第１突起体と、前記突起体であって前記第１突起体とは異なる第２突起体とを含み、前記第２突起体は、前記第１突起体が設けられる前記作動面とは異なる前記作動面に設けられてもよい。
【０１７０】
以上、本発明に係るマッサージ具の実施形態について説明したが、これらは本発明の実施形態の一例に過ぎず、本発明はこれらに限定されるものではない。本発明には、以上の各実施形態を組み合わせた形態や、様々な変形例が含まれる。
【符号の説明】
【０１７１】
１０、１０ａ、１０ｂ                              マッサージ具
１１                                              胴部
１１１、１１１ｂ                                  作動面
１１２                                            貫通穴
１１３                                            作動面
１２                                              尾部
１３、１３ｂ                                      第１突起体
１３１                                            先端面
１３２                                            周面
１４                                              指掛け部
１５                                              蓋
１６                                              第２突起体
１６２３                                          段差面
１００００、２０、２０ａ、２０ｂ、２０ｃ、２０ｄ  マッサージ具
１１０００、２１                                  本体
１１１００、２１１、２１１ｂ                      ベース面
２１２                                            空気孔
２１３ｂ                                          突出面
２１４ｃ                                          突出壁
２１５ｃ                                          切欠き
２２                                              蓋体
２２１                                            挟持部（吸引部）
１３０００、２３、２３ａ、２４ｂ、２５ｂ、２６ｃ、２７ｄ  突起体
【図１】
2019076687.tif 000003
【図２】
2019076687.tif 000004
【図３】
2019076687.tif 000005
【図４】
2019076687.tif 000006
【図５】
2019076687.tif 000007
【図６】
2019076687.tif 000008
【図７】
2019076687.tif 000009
【図８】
2019076687.tif 000010
【図９】
2019076687.tif 000011
【図１０】
2019076687.tif 000012
【図１１】
2019076687.tif 000013
【図１２】
2019076687.tif 000014
【図１３】
2019076687.tif 000015
【図１４】
2019076687.tif 000016
【図１５】
2019076687.tif 000017
【図１６】
2019076687.tif 000018
【図１７】
2019076687.tif 000019
【図１８】
2019076687.tif 000020
【図１９】
2019076687.tif 000021
【図２０】
2019076687.tif 000022
【図２１】
2019076687.tif 000023
【図２２】
2019076687.tif 000024
【図２３】
2019076687.tif 000025
【図２４】
2019076687.tif 000026
【図２５】
2019076687.tif 000027
【図２６】
2019076687.tif 000028
【図２７】
2019076687.tif 000029
【図２８】
2019076687.tif 000030
【図２９】
2019076687.tif 000031
【図３０】
2019076687.tif 000032
【図３１】
2019076687.tif 000033
【手続補正書】
【提出日】平成30年8月1日(2018.8.1)
【手続補正１】
【補正対象書類名】特許請求の範囲
【補正対象項目名】全文
【補正方法】変更
【補正の内容】
【特許請求の範囲】
【請求項１】
手動のマッサージ具であって、
湾曲面である作用面を有する本体と、
前記作用面に設けられる複数の突起体と、を含み、
複数の前記突起体は、略円又は略楕円をなすように前記作用面に環状に配置され、
複数の前記突起体は、対象部位の周囲に略同時に接するように等しく設けられ、
前記作用面が凹むと前記突起体が傾倒し、前記作用面が元に戻ると前記突起体が起立して、複数の前記突起体によって対象部位が揉まれてマッサージが行われる
ことを特徴とするマッサージ具。
【請求項２】
請求項１に記載のマッサージ具であって、
前記突起体は、前記作用面からの突出高さが、最も低い部分において、前記作用面の厚みの２倍〜１０倍である
ことを特徴とするマッサージ具。
【請求項３】
請求項１又は２に記載のマッサージ具であって、
前記突起体の先端の最大幅は、前記作用面の厚みの２倍〜１０倍である
ことを特徴とするマッサージ具。
【請求項４】
請求項１〜３のいずれか一項に記載のマッサージ具であって、
前記突起体の先端の最大幅は、前記突起体の根元の最大幅の０．４倍〜０．９倍である
ことを特徴とするマッサージ具。
【請求項５】
請求項１〜４のいずれか一項に記載のマッサージ具であって、
前記突起体は、中実に形成されている
ことを特徴とするマッサージ具。
【請求項６】
請求項１〜５のいずれか一項に記載のマッサージ具であって、
前記突起体は、対象部位に略垂直に立つように設けられ、
前記作用面が凹むと、前記突起体は、前記突起体同士が向かい合う方向に傾倒する
ことを特徴とするマッサージ具。
【請求項７】
請求項１〜６のいずれか一項に記載のマッサージ具であって、
前記突起体は、対象部位に斜めに立つように設けられ、
前記作用面が凹むと、前記突起体は、時計方向又は反時計方向の隣の前記突起体の方向に傾倒する
ことを特徴とするマッサージ具。
【請求項８】
請求項１〜７のいずれか一項に記載のマッサージ具であって、
棒状の、前記突起体である第１突起体と、
前記作用面に対象部位側に突出するように設けられる円環状の突出壁に、複数の切欠きを設けることで形成される、前記突起体である第２突起体を含む
ことを特徴とするマッサージ具。
【請求項９】
手動のマッサージ具であって、
湾曲面である作用面を有する本体と、
前記作用面に設けられる複数の突起体と、を含み、
前記作用面が凹むと前記突起体が傾倒し、前記作用面が元に戻ると前記突起体が起立して、対象部位に対してマッサージが行われ、
複数の前記作用面を含み、
前記作用面は、前記本体の底面を構成するベース面に設けられる
ことを特徴とするマッサージ具。
【請求項１０】
請求項１〜９のいずれか一項に記載のマッサージ具であって、
前記本体は中空に形成され、
前記マッサージ具は、前記本体の内圧を変化させるための吸引部を含む
ことを特徴とするマッサージ具。
【請求項１１】
請求項１〜１０のいずれか一項に記載のマッサージ具であって、
前記作用面には、傾倒方向又は起立方向を調整する傾倒方向調整部が設けられる
ことを特徴とするマッサージ具。
【請求項１２】
請求項１〜１１のいずれか一項に記載のマッサージ具であって、
前記本体は、略椀状である
ことを特徴とするマッサージ具。
【請求項１３】
請求項１〜１１のいずれか一項に記載のマッサージ具であって、
前記本体は、略卵形状である
ことを特徴とするマッサージ具。
【請求項１４】
請求項１〜１１のいずれか一項に記載のマッサージ具であって、
前記本体は、略円筒形状である
ことを特徴とするマッサージ具。
【手続補正２】
【補正対象書類名】明細書
【補正対象項目名】０００８
【補正方法】変更
【補正の内容】
【０００８】
上記課題を解決するために、本発明の一態様に係るマッサージ具は、手動のマッサージ具であって、湾曲面である作用面を有する本体と、前記作用面に設けられる複数の突起体と、を含み、複数の前記突起体は、略円又は略楕円をなすように前記作用面に環状に配置され、複数の前記突起体は、対象部位の周囲に略同時に接するように等しく設けられ、前記作用面が凹むと前記突起体が傾倒し、前記作用面が元に戻ると前記突起体が起立して、複数の前記突起体によって対象部位が揉まれてマッサージが行われる。
【手続補正３】
【補正対象書類名】明細書
【補正対象項目名】００１６
【補正方法】変更
【補正の内容】
【００１６】
また、本発明の一態様に係るマッサージ具は、手動のマッサージ具であって、湾曲面である作用面を有する本体と、前記作用面に設けられる複数の突起体と、を含み、前記作用面が凹むと前記突起体が傾倒し、前記作用面が元に戻ると前記突起体が起立して、対象部位に対してマッサージが行われ、複数の前記作用面を含み、前記作用面は、前記本体の底面を構成するベース面に設けられる。
【手続補正書】
【提出日】平成30年10月24日(2018.10.24)
【手続補正１】
【補正対象書類名】特許請求の範囲
【補正対象項目名】全文
【補正方法】変更
【補正の内容】
【特許請求の範囲】
【請求項１】
手動のマッサージ具であって、
湾曲面である作用面を有する本体と、
前記作用面に設けられる複数の突起体と、を含み、
複数の前記突起体は、略円又は略楕円をなすように前記作用面に環状に配置され、
複数の前記突起体は、対象部位の周囲に略同時に接するように、その先端同士が略同一平面にあるように設けられ、
前記作用面が凹むと前記突起体が傾倒し、前記作用面が元に戻ると前記突起体が起立して、複数の前記突起体によって対象部位が揉まれてマッサージが行われる
ことを特徴とするマッサージ具。
【請求項２】
請求項１に記載のマッサージ具であって、
前記突起体は、前記作用面からの突出高さが、最も低い部分において、前記作用面の厚みの２倍〜１０倍である
ことを特徴とするマッサージ具。
【請求項３】
請求項１又は２に記載のマッサージ具であって、
前記突起体の先端の最大幅は、前記作用面の厚みの２倍〜１０倍である
ことを特徴とするマッサージ具。
【請求項４】
請求項１〜３のいずれか一項に記載のマッサージ具であって、
前記突起体の先端の最大幅は、前記突起体の根元の最大幅の０．４倍〜０．９倍である
ことを特徴とするマッサージ具。
【請求項５】
請求項１〜４のいずれか一項に記載のマッサージ具であって、
前記突起体は、中実に形成されている
ことを特徴とするマッサージ具。
【請求項６】
請求項１〜５のいずれか一項に記載のマッサージ具であって、
前記突起体は、対象部位に略垂直に立つように設けられ、
前記作用面が凹むと、前記突起体は、前記突起体同士が向かい合う方向に傾倒する
ことを特徴とするマッサージ具。
【請求項７】
請求項１〜６のいずれか一項に記載のマッサージ具であって、
前記突起体は、対象部位に斜めに立つように設けられ、
前記作用面が凹むと、前記突起体は、時計方向又は反時計方向の隣の前記突起体の方向に傾倒する
ことを特徴とするマッサージ具。
【請求項８】
請求項１〜７のいずれか一項に記載のマッサージ具であって、
棒状の、前記突起体である第１突起体と、
前記作用面に対象部位側に突出するように設けられる円環状の突出壁に、複数の切欠きを設けることで形成される、前記突起体である第２突起体を含む
ことを特徴とするマッサージ具。
【請求項９】
手動のマッサージ具であって、
湾曲面である作用面を有する本体と、
前記作用面に設けられる複数の突起体と、を含み、
前記作用面が凹むと前記突起体が傾倒し、前記作用面が元に戻ると前記突起体が起立して、対象部位に対してマッサージが行われ、
複数の前記作用面を含み、
前記作用面は、前記本体の底面を構成するベース面に設けられる
ことを特徴とするマッサージ具。
【請求項１０】
請求項１〜９のいずれか一項に記載のマッサージ具であって、
前記本体は中空に形成され、
前記マッサージ具は、前記本体の内圧を変化させるための吸引部を含む
ことを特徴とするマッサージ具。
【請求項１１】
請求項１〜１０のいずれか一項に記載のマッサージ具であって、
前記作用面には、傾倒方向又は起立方向を調整する傾倒方向調整部が設けられる
ことを特徴とするマッサージ具。
【請求項１２】
請求項１〜１１のいずれか一項に記載のマッサージ具であって、
前記本体は、略椀状である
ことを特徴とするマッサージ具。
【請求項１３】
請求項１〜１１のいずれか一項に記載のマッサージ具であって、
前記本体は、略卵形状である
ことを特徴とするマッサージ具。
【請求項１４】
請求項１〜１１のいずれか一項に記載のマッサージ具であって、
前記本体は、略円筒形状である
ことを特徴とするマッサージ具。